(57)【特許請求の範囲】
【請求項１】
貯蔵庫本体の上部に機械室が形成され、この機械室内に、冷凍装置の一部を構成する凝縮器とこの凝縮器に送風するためのファンとが設けられた冷却貯蔵庫において、
前記貯蔵庫本体の側面には下端に入口を有する縦ダクトが設けられる一方、前記機械室内の手前側の部分では、前面から奥側に向けて前仕切板と後仕切板とが間隔を開けて張設され、前後の前記仕切板により横ダクトが区画形成されて前記縦ダクトの上端と接続されているとともに、前記後仕切板に形成された開口に前記凝縮器の吸引側が臨み、また、前記前仕切板の手前側には、制御ボックス等の電気的装置を収容可能な収容室が形成されており、さらに前記横ダクトにおける前記縦ダクトとの接続端側には、フィルタが前面側からの抜き差し可能に装着されていることを特徴とする冷却貯蔵庫。
【請求項２】
前記横ダクトの底板が上げ底状に形成され、この底板の下面側に配線空間が形成されていることを特徴とする請求項１記載の冷却貯蔵庫。
【発明の詳細な説明】
【０００１】
【発明の属する技術分野】
本発明は、凝縮器に対する送風経路に改良を加えた冷却貯蔵庫に関する。
【０００２】
【従来の技術】
業務用の冷蔵庫は一般に、冷蔵庫本体の上面に機械室を設けてその中に冷凍装置を収容した構造となっていて、特に凝縮器を冷却する部分では、ファンを駆動することにより機械室の前面板の吸気口から外気を吸引してこれを凝縮器に当て、凝縮器を冷却したのちの排熱は機械室の背面側から排気するようになっている。
一方、この種の業務用冷蔵庫は、厨房内において例えばフライヤ等の熱を発する調理用機器に隣接して配される場合も多く、上記のように機械室の前面から外気を吸引する形式であると、調理用機器から発せられて厨房の天井付近に滞留した暖かい空気が凝縮器に当てられることとなって、冷却運転の効率が悪くなる嫌いがある。
その対策として従来、実開昭５３−８０８７２号や実開昭６３−４９４７８号に開示されているように、冷蔵庫本体の左右の側面や背面に、下端に入口を有する縦向きのダクトを設けて、その上端を機械室内に延出して凝縮器の吸引側に対応させ、厨房の床に近い所の比較的低温の空気を引いて凝縮器に当てるようにしたものが知られている。
【０００３】
【発明が解決しようとする課題】
しかるに従来のものでは、ダクトの吹出口の位置に合わせるべく、凝縮器の吸込側を機械室の左右の側面側やあるいは背面側に向けて配置するといったように、凝縮器さらには冷凍装置全体についてその配置構造を大幅に変更する必要があり、コスト高を招く等簡単に対応できないという問題があった。
本発明は上記のような事情に基づいて完成されたものであって、その目的は、構造的に簡単な対応でもって凝縮器に低温の空気を当てることができるようにするところにある。
【０００５】
【課題を解決するための手段】
請求項１の発明は、貯蔵庫本体の上部に機械室が形成され、この機械室内に、冷凍装置の一部を構成する凝縮器とこの凝縮器に送風するためのファンとが設けられた冷却貯蔵庫において、前記貯蔵庫本体の側面には下端に入口を有する縦ダクトが設けられる一方、前記機械室内の手前側の部分では、前面から奥側に向けて前仕切板と後仕切板とが間隔を開けて張設され、前後の前記仕切板により横ダクトが区画形成されて前記縦ダクトの上端と接続されているとともに、前記後仕切板に形成された開口に前記凝縮器の吸引側が臨み、また、前記前仕切板の手前側には、制御ボックス等の電気的装置を収容可能な収容室が形成されており、さらに前記横ダクトにおける前記縦ダクトとの接続端側には、フィルタが前面側からの抜き差し可能に装着されている構成としたところに特徴を有する。
請求項２の発明は、請求項１に記載のものにおいて、前記横ダクトの底板が上げ底状に形成され、この底板の下面側に配線空間が形成されているところに特徴を有する。
【０００６】
【発明の作用及び効果】
＜請求項１の発明＞
ファンが駆動されると、縦ダクトの下端の入口から空気が引かれて縦ダクト内を上り、続いて横ダクトに流入してこの横ダクトの奥面に臨んでいる凝縮器に当てられる。冷却貯蔵庫の設置場所の底部にある低温の空気を引いて凝縮器に当てることができるから、凝縮器を良好に冷却できて冷却効率を高めることができる。しかも、縦ダクトは後付けで形成でき、また横ダクトについても機械室内に仕切板を張ることで形成でき、言い換えると、既存の冷却貯蔵庫に対して凝縮器を含む冷凍装置の配置を変えるといったことなく、ダクトの構成部品を付加するだけで簡単に対応することができる。
また、凝縮器に当てる空気を通す横ダクトとは隔絶された収容室を設け、そこに電気的装置を収容したから、電気的装置に油分や埃が付着することが防がれる。さらに、フィルタにより凝縮器に当てられる空気中から油分や埃等が除去され、このフィルタは前面側から抜き差しできるようになっているから、掃除等のメンテナンスが簡単に行える。
【０００７】
＜請求項２の発明＞
横ダクトの底板の下に形成された配線空間を用いて配線することにより、配線に油分や埃が付着することが防止される。
【０００８】
【発明の実施の形態】
以下、本発明の実施形態を添付図面に基づいて説明する。
＜第１実施形態＞
本発明の第１実施形態を図１及び図２によって説明する。この実施形態の冷蔵庫は、前面開口の縦長の断熱箱体からなる冷蔵庫本体１０を備えており、その内部が貯蔵室とされて、前面開口に上下２枚の片開き式の扉１１が設けられるとともに、底面の四隅に設けられた脚１２によって支持されている。
冷蔵庫本体１０の上面には機械室１４が形成されている。この機械室１４は、図２に示すように、冷蔵庫本体１０の上面の全面にわたって形成され、前後並びに左右の側板１５と、天板１６で覆われて形成されている。このうち前面板１５Ａについては、ヒンジ等を介して手前側に揺動開閉可能とされている。
【０００９】
冷蔵庫本体１０から機械室１４にわたる正面から見た右側の側面には、その全面にわたって縦ダクト１８が設けられている。この縦ダクト１８は、板金を浅い溝形に曲げ形成してなるダクト形成板１９によって構成されており、下端側が開放されて吸気口２０とされているとともに、上端は閉鎖されている。
機械室１４内には、奥行方向の中央から少し手前の位置に後仕切板２１が張設され、さらにその手前の位置に所定間隔を開けて前仕切板２２が張設されている。これにより、後仕切板２１の奥側に冷凍装置３０等を収容する後部収容室２４が、両仕切板２１，２２の間に横ダクト２５が、前仕切板２２と機械室１４の前面板１５Ａとの間に前部収容室２６がそれぞれ形成されている。
【００１０】
横ダクト２５は、その右側の端部に接続口２８が開口され、この接続口２８が上記した縦ダクト１８の上端と連通されている。後部収容室２４内には、冷凍装置３０を構成する凝縮器３１、凝縮器ファン３２及び圧縮機３３が後方に向けて順次に並んで設置されており、貯蔵室内に装備された冷却器と冷媒配管で循環接続されて周知の冷凍サイクルが構成されている。
後仕切板２１の幅方向の中央部には第１開口３５が形成され、この第１開口３５に凝縮器３１の吸引側の面が面一に嵌められ、すなわち横ダクト２５に臨んでいる。なお、後部収容室２４の後面板１５Ｂには、図示しない多数の排気口が開口されている。また、冷凍装置３０の右側には電装箱３７が設置され、この電装箱３７の前面も、後仕切板２１に形成された第２開口３８に面一に嵌められている。
【００１１】
横ダクト２５の上記した接続口２８には、フィルタ４０が装着されている。接続口２８の下面にはガイドレール４１が設けられる一方、前仕切板２２の右端には挿入口４２が形成されていて、フィルタ４０は挿入口４２からガイドレール４１に沿って抜き差し可能とされている。
また、前部収容室２６内には、各種機器の設定等を行うための制御ボックス４４が設置されている。
第１実施形態の作用は以下のようである。冷凍装置３０の起動に伴い凝縮器ファン３２が駆動されると、図１の矢線に示すように、縦ダクト１８の下端側の吸気口２０から外気が吸引されて縦ダクト１８内を上ったのち、図２の矢線に示すように、フィルタ４０を通って油分や埃等が除去された状態で横ダクト２５に流入する。そののち凝縮器３１を通過してこれを冷却し、熱交換された排熱は、後面板１５Ｂの排気口から排出される。
フィルタ４０の掃除を行う場合は、機械室１４の前面板１５Ａを開けたのち、挿入口４２からフィルタ４０を引き出せばよい。
【００１２】
このように本実施形態によれば、冷蔵庫の設置された厨房Ｒの底部の外気を引いて凝縮器３１に当てるようにしたから、例えば図１に示すように、熱を発生する調理用機器Ｘが近くに設置されていたとしても、その熱の影響を受けることなく比較的低温の空気を凝縮器３１に当てることができ、凝縮器３１を良好に冷却できて冷却効率を高めることができる。しかも、縦ダクト１８は後付けで形成でき、また横ダクト２５についても機械室１４内に仕切板２１，２２を張ることで形成でき、言い換えると、既存の冷蔵庫に対して凝縮器３１を含む冷凍装置３０の配置の変更を最小限に抑えて、主にダクト１８，２５の構成部品を付加するだけで簡単に対応することができる。
【００１３】
また、フィルタ４０を機械室１４内において前面側からの抜き差し可能に装着したから、掃除や交換等のメンテナンスが簡単に行える。
上記の凝縮器３１に当てられる空気は、フィルタ４０により混じった油分や埃が除去されるが、全部除去し切れずに残る可能性がある。この実施形態では、横ダクト２５の手前にさらに前部収容室２６を区画形成して、ここに制御ボックス４４を設置した構造としたから、凝縮器３１に当てられる空気が前部収容室２６を通ることなく、したがって手を触れて操作する制御ボックス４４に油分や埃が付着することが防がれる。
【００１４】
なお、縦ダクト１８、横ダクト２５とも、外気の導入を効率良く行うために気密に形成する必要があり、特に、横ダクト２５の上面に張られる天板１６は、凝縮器３１を冷却した後の排熱が凝縮器３１の吸引側に入り込むショートサイクルを防止する上からも、気密に組み付ける必要がある。
一方、天板１６は機械室１４の全面に張る必要はなく、特に圧縮機３３の上方に対応する後部側では除去してもよい。また、機械室１４の後面板１５Ｂは除去してもよい。
【００１５】
＜第２実施形態＞
次に、本発明の第２実施形態を図３及び図４によって説明する。この第２実施形態では、上記第１実施形態にさらに改良を加えたものであり、以下には主に相違点について説明し、第１実施形態と同一機能を有する部位については適宜に同一符号を付すことで重複した説明は簡略化または省略する。
冷蔵庫本体１０から機械室１４Ａにわたる正面から見た右側の側面の全面には、同様に下端に吸気口２０を有する縦ダクト１８が設けられている。
機械室１４Ａ内では、同様に後仕切板２１Ａと前仕切板２２との間に横ダクト２５Ａが形成されている。ここで、後仕切板２１Ａの左右両端が奥側に向けて斜めに屈曲されていて、特に縦ダクト１８と連通される接続口２８Ａの間口が広くされている。この接続口２８Ａにも、同様にフィルタ４０Ａが前面側からの抜き差し可能に装着されている。
【００１６】
上記の横ダクト２５Ａと前部収容室２６にわたる底面には、浅い箱を伏せたような形状の配線収納用ボックス５０が敷かれている。また、冷凍装置３０を構成する凝縮器３１、凝縮器ファン３２及び圧縮機３３、さらには電装箱３７Ａが、ユニット台５１上に載せられて後部収容室２４Ａに設置されている。
このうち、凝縮器３１の吸引側の面が、後仕切板２１Ａの開口３５に面一に嵌められて横ダクト２５Ａに臨んでいる。なお、電装箱３７Ａは、後部収容室２４Ａ内に後退している。
【００１７】
一方、ブレーカ５３やヒューズを備えたブレーカボックス５４が、電装箱３７Ａから分離して設けられており、このブレーカボックス５４が、前部収容室２６内において、前仕切板２２に取り付けられる等で、制御ボックス４４と並んで収容されている。
そして、ブレーカボックス５４や制御ボックス４４から引き出された配線５５，５６は、側面の窓孔５７から配線収納用ボックス５０内に通されて、後部収容室２４Ａの電装箱３７Ａ等と接続されている。
【００１８】
第２実施形態の作用は以下のようである。冷凍装置３０の起動に伴い凝縮器ファン３２が駆動されると、縦ダクト１８の下端側の吸気口２０から外気が吸引されて縦ダクト１８内を上ったのち、図３の矢線に示すように、フィルタ４０Ａを通って油分や埃等が除去された状態で横ダクト２５Ａに流入し、そののち凝縮器３１を通過してこれを冷却し、熱交換された排熱は、後面板１５Ｂの排気口から排出される。
フィルタ４０Ａの掃除を行う場合は、機械室１４Ａの前面板１５Ａを開けたのち、挿入口４２からフィルタ４０Ａを引き出せばよい。
また、前面板１５Ａを開けることで、制御ボックス４４やのブレーカボックス５４に対する操作等が行える。
【００１９】
この第２実施形態では、以下のような数々の利点を得ることができる。汚れやすい凝縮器３１の冷却用空気をダクト１８，２５Ａ内に流通させるようにしたから、冷蔵庫自体の外装も綺麗に保持できる。横ダクト２５Ａの導入口となる接続口２８Ａの間口が広げられているから、外気の導入がより効率良く行われる。また、凝縮器３１の手前に横ダクト２５Ａを配しているのであるから、凝縮器３１に不用意に人手が触れることが無くなる。
【００２０】
ブレーカボックス５４を電装箱３７Ａから分離して前部収容室２６に持って来たから、操作がしやすくなる。また、この前部収容室２６は横ダクト２５Ａと隔絶されていて、凝縮器３１に当てられる空気が通らないから、この空気中にフィルタ４０Ａを通過してもなお残った油分や埃があったとしても、ブレーカボックス５４や制御ボックス４４に付着するおそれがなく、それらの誤作動が起こりにくくなり、また人手による操作等もしやすくなる。
また、ブレーカボックス５４を電装箱３７Ａから分離したがゆえに必要となった配線５５や、制御ボックス４４から引き出された配線５６を、横ダクト２５Ａの底面側に隔絶された配線収納用ボックス５０内に通すようにしたから、配線５５，５６が油分や埃で汚れることが防止され、また配線５５，５６が隠された状態となって、外観的にも収まりが良くなる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）機械室の前面板は、簡単な嵌め込み式により開閉できる構造としてもよい。
（２）設置場所等の使用目的によっては、縦ダクトは冷蔵庫の正面から見た左側面に設けるようにしてもよい。
（３）また、上記第１及び第２実施形態に示したフィルタ４０，４０Ａは、手前に延出した大型とし、手前の縁部を機械室の前面板１５Ａの右端に設けた挿入口に臨ませるようにしてもよい。そうすると、前面板１５Ａをいちいち開放しなくてもフィルタの出し入れを行うことができる。また、そのようなフィルタを前後逆向きにして装着すると、目詰まりする時期が遅れて掃除する回数を減らすことができる。
【図面の簡単な説明】
【図１】本発明の第１実施形態に係る冷蔵庫の設置状態を示す一部切欠概略正面図
【図２】機械室内を示す平断面図
【図３】第２実施形態に係る機械室内を示す平断面図
【図４】図３のIV−IV線断面図
【符号の説明】
１０…冷蔵庫本体
１４，１４Ａ…機械室
１５Ａ…前面板
１５Ｂ…後面板
１８…縦ダクト
２０…吸気口
２１，２１Ａ…後仕切板
２２…前仕切板
２４，２４Ａ…後部収容室
２５，２５Ａ…横ダクト
２６…前部収容室
２８，２８Ａ…接続口
３０…冷凍装置
３１…凝縮器
３２…凝縮器ファン
３５…開口
４０，４０Ａ…フィルタ
４４…制御ボックス
５０…配線収納用ボックス
５４…ブレーカボックス
５５，５６…配線
【図１】
0003809319.tif 000002
【図２】
0003809319.tif 000003
【図３】
0003809319.tif 000004
【図４】
0003809319.tif 000005